(57)【特許請求の範囲】
【請求項１】
既設トラス（１）（２）に取り付けてある妻側の既設外壁パネル（３・・）を取り外して、前記既設トラス（１）（２）に前記既設外壁パネル（３・・）とは幅寸法及び厚みの異なる妻側の新設外壁パネル（８・・）を取り付けるにあたって、前記既設トラス（１）（２）に、前記新設外壁パネル（８・・）の裏支え用及び張り出し調整用としてのパネル支持フレーム（１０）（１１）を固定金具（４０・・）を介して取り付けて、このパネル支持フレーム（１０）（１１）の縦方向に沿った受け部材（２２・・）に、前記新設外壁パネル（８・・）の縦方向に沿った端部をあてがいながら、且つ、前記新設外壁パネル（８・・）の表面がその直下の外壁パネル（８・・）の表面と略面一になるようにして、前記パネル支持フレーム（１０）（１１）に前記新設外壁パネル（８・・）を止め金具（６２）を介して固定したことを特徴とする外壁の改修方法。
【請求項２】
前記パネル支持フレーム（１０）（１１）は、複数の構成部材（１５）〜（１７）、（３０）〜（３２）からなり、これら複数の構成部材（１５）〜（１７）、（３０）〜（３２）を組み合わせた形状が、前記既設トラス（１）（２）のパネル取付部の形状と略同形状とされている請求項１記載の外壁の改修方法。
【請求項３】
前記固定金具（４０・・）は、前記既設トラス（１）（２）に引っ掛ける係止部材（４５・・）を備えている請求項１又は２記載の外壁の改修方法。
【発明の詳細な説明】
【技術分野】
【０００１】
この発明は、主として鉄骨系住宅における外壁の改修方法に関する。
【背景技術】
【０００２】
従来より、建築後長年月を経て古くなった鉄骨系住宅における外壁部分の改修に際しては、外壁面に新たな塗装を施す方法や既設外壁パネルの上に新設外壁パネルを取り付ける方法が知られている。
【０００３】
しかしながら、塗装を施す方法では、塗装の種類にも限界があり、意匠表現が限られるのみならず、塗装作業の際に近隣への塗料飛散対策や臭対策を迫られるという欠点がある。
【０００４】
他方、既設外壁パネルの上に新設外壁パネルを貼り付ける方法は、既設外壁パネルと新設外壁パネルとが重なりあった状態となるため、壁厚が大きく張り出すことになり、窓、雨戸、水切、樋等といった他の外装部材との取り合いに特別な配慮が必要となるという欠点がある。
【０００５】
上記以外の方法として、既設躯体に取り付けてある既設外壁パネルを取り外して、その既設躯体に新設外壁パネルを取り付けるといった方法がある。この場合、上記方法に比べて改修工事が大掛かりとなるものの、近隣への塗料飛散対策や臭対策を考慮する必要がなく、また他の外装部材との取り合いに際して特別な配慮が不要になるといった利点がある。
【０００６】
ところが、建築当初と現在とにおいて、外壁パネルの仕様が変わってしまっていて、既設外壁パネルと新設外壁パネルの幅寸法が異なる場合がある。このような場合、既設外壁パネルを取り付けていた既設躯体に対して、新設外壁パネルを取り付けるにあたって、新設外壁パネルの縦方向に沿った端部と既設躯体の縦材との間に位置ずれが生じて、新設外壁パネルの端部を裏支えする部材がなくなり、新設外壁パネルの既設躯体への取付作業が煩雑になるといった問題があった。
【０００７】
特に、住宅の妻側外壁部においては、特許文献１にも開示されているように、複雑な形状のトラスに対して複雑な形状の外壁パネルを取り付けているので、既設トラスへの新設外壁パネルの取付作業がより一層煩雑になっていた。
【０００８】
【特許文献１】特開平１０−８６２３号公報
【発明の開示】
【発明が解決しようとする課題】
【０００９】
現状において、特にトラスに対して外壁パネルを取り付けた構造となっている妻側外壁部の改修に際しての確立された技術はなく、ほとんどが現場任せの対応となっており、従って上記のように幅寸法の異なる既設外壁パネルと新設外壁パネルの交換にあたっては、施工性の悪化を招いて施工時間が長くなったり、新設外壁パネルの取付強度や取付精度にバラツキが生じるといった不具合が生じていた。
【００１０】
この発明は、上記に鑑み、既設トラスに取り付けてある妻側の既設外壁パネルを取り外して、既設トラスに既設外壁パネルとは幅寸法及び厚みの異なる妻側の新設外壁パネルを取り付けるにあたって、現場任せとなっていた曖昧な技術を明確にすることで、施工性の向上を図るとともに、新設外壁パネルを安定して取り付けることができる外壁の改修方法の提供を目的とする。
【課題を解決するための手段】
【００１１】
上記課題を解決するために、この発明の外壁の改修方法は、既設トラス１、２に取り付けてある妻側の既設外壁パネル３・・を取り外して、前記既設トラス１、２に前記既設外壁パネル３・・とは幅寸法及び厚みの異なる妻側の新設外壁パネル８・・を取り付けるにあたって、前記既設トラス１、２に、前記新設外壁パネル８・・の裏支え用及び張り出し調整用としてのパネル支持フレーム１０、１１を固定金具４０・・を介して取り付けて、このパネル支持フレーム１０、１１の縦方向に沿った受け部材２２・・に、前記新設外壁パネル８・・の縦方向に沿った端部をあてがいながら、且つ、前記新設外壁パネル８・・の表面がその直下の外壁パネル８・・の表面と略面一になるようにして、前記パネル支持フレーム１０、１１に前記新設外壁パネル８・・を止め金具６２を介して固定したことを特徴としている。
【００１２】
また、パネル支持フレーム１０、１１は、複数の構成部材１５〜１７、３０〜３２からなり、これら複数の構成部材１５〜１７、３０〜３２を組合わせた形状が、既設トラス１、２のパネル取付部の形状と略同形状とされている。
【００１３】
さらに、固定金具４０・・は、既設トラス１、２に引っ掛ける係止部材４５・・を備えている。
【発明の効果】
【００１４】
この発明の外壁の改修方法では、既設トラスに取り付けてある妻側の既設外壁パネルを取り外して、既設トラスに既設外壁パネルとは幅寸法及び厚みの異なる新設外壁パネルを取り付けるにあたって、既設トラスに取り付けたパネル支持フレームによって、新設外壁パネルをその直下の外壁パネルに合わせながら、しっかりと裏支えして固定することができる。これにより現場任せとなっていた曖昧な技術を明確にして、施工性の向上及び施工時間の短縮を図りながら、新設外壁パネルを安定して取り付けることができる。
【００１５】
また、パネル支持フレームの構成部材を組合わせた形状が、既設トラスのパネル取付部の形状と略同形状となっていることから、既設トラスに対してパネル支持フレームを簡単に位置決めしながら取り付けることができ、より一層の施工性の向上を図ることができる。
【００１６】
さらに、既設トラスに引っ掛けるようにした固定金具を介してパネル支持フレームを取り付けることで、既設トラスに何ら加工を施すことなく、パネル支持フレームを簡単に取り付けることができ、より一層の施工性の向上を図ることができる。
【発明を実施するための最良の形態】
【００１７】
以下、この発明の実施形態を図面に基づいて詳細に説明する。図１は、この発明の一実施形態の外壁の改修方法によって改修される鉄骨系住宅を示している。この鉄骨系住宅においては、棟位置が高い切妻状の大屋根１００を備えた主棟１０１の一方の妻側に、棟位置が低い切妻状の小屋根１０２を備えた接続棟１０３の他方の妻側が接続されている。そして、接続棟１０３の小屋根１０２は、その一方の屋根面が大屋根１００の一方の屋根面と同一平面となっていて、他方の屋根面が大屋根１００の他方の屋根面よりも下方において、主棟１０１の一方の妻面に接続している。
【００１８】
図２は、主棟１０１及び接続棟１０３の一方の妻側の既設トラス１、２を示している。これら既設トラス１、２は、斜材、縦材、横材及びブレース材を適宜組合わせて、全体的に略二等辺三角形状に形成されている。そして、主棟１０１側の既設トラス１における接続棟１０３側の既設トラス２が重なった部分以外の略平行四辺形状の部分、及び、接続棟１０３側の既設トラス２における全体がパネル取付部となっている。なお、図示しないが、主棟１０１の接続棟１０３が接続されていない他方の妻側においては、既設トラス１の全体がパネル取付部となっている。
【００１９】
そして、改修前においては、図３に示すように、上記の既設トラス１、２のパネル取付部にサイディング材からなる複数の既設外壁パネル３・・が木片４・・を介して取り付けられて、その直下において既設軸組５・・に既設外壁パネル６・・が取り付けられている。なお図３中、７は軒先サイディングである。
【００２０】
この鉄骨系住宅の妻側外壁部の改修に際しては、図４及び図５に示すように、既設トラス１、２に取り付けてある妻側の既設外壁パネル３・・を取り外して、既設トラス１、２のパネル取付部に対して、既設外壁パネル３・・とは仕様の異なった妻側の新設外壁パネル８・・を取り付けるようにしている。
【００２１】
新設外壁パネル８・・は、例えば図１０及び図１１に示すように、略長方形状の外壁材７０の裏面周端部にコ字状の枠材７１を取り付け、その枠材７１によって囲まれた部分に断熱材７２を充填したもので、既設外壁パネル３・・に比べて防火性や防水性等の各種性能が向上しており、その幅寸法や厚みについても既設外壁パネル３・・とは異なっている。従って、このような新設外壁パネル８・・を既設トラス１、２に取り付けるにあたって、既設トラス１、２に新設外壁パネル８・・の裏支え用及び張り出し調整用のパネル支持フレーム１０、１１を取り付けて、このパネル支持フレーム１０、１１に新設外壁パネル８・・を固定している。
【００２２】
接続棟１０３側の一方の妻側の既設トラス２に取り付けるパネル支持フレーム１０は、図４に示すように、３つの構成部材１５〜１７からなり、これら構成部材１５〜１７を組合せた形状が既設トラス２の形状と略同形状すなわち略二等辺三角形状とされている。
【００２３】
図６は、これら構成部材１５〜１７のうちの一つを示しており、この構成部材１５は、既設トラス２の斜材に対応した斜め方向に沿った上枠材２０と、既設トラス２の横材に対応した横方向に沿った下枠材２１と、これら上枠材２０と下枠材２１とを連結する縦方向に沿った連結材２２・・とを備えている。
【００２４】
上枠材２０は、上面片２５と、この上面片２５の長手方向に沿った一端部から垂下した垂直片２６とによった略Ｌ字状の形成され、垂直片２６には、ボルト挿通孔２７・・が形成されている。下枠材２１は、下面片２８と、この下面片２８の長手方向に沿った一端部から立ち上がった垂直片２９とによって略Ｌ字状に形成され、垂直片２９には、ボルト挿通孔２７・・が形成されている。連結材２２・・は、新設外壁パネル８・・の縦方向に沿った端部を受ける受け部材となるもので、断面略コ字状に形成され、その開放部分が上枠材２０及び下枠材２１の垂直片２６、２９に対向するようにして、これら垂直片２６、２９に跨って溶接等によって取り付けられている。なお、構成部材１５以外の他の構成部材１６、１７も形状は異なるものの上枠材２０、下枠材２１、受け部材としての連結材２２・・を適宜組み付けることによって構成されている
【００２５】
また、主棟１０１側の一方の妻側の既設トラス１に取り付けるパネル支持フレーム１１は、図５に示すように、３つの構成部材３０〜３２からなり、これら構成部材３０〜３２を組合わせた形状が既設トラス１のパネル取付部の形状と略同形状すなわち略平行四辺形状とされている。このパネル支持フレーム１１の構成部材３０〜３２も、上記のパネル支持フレーム１０の構成部材１５〜１６と同様に、既設トラス１の斜材に対応した上枠材２０、既設トラス１の横材若しくは小屋根１０２の他方の屋根面に対応した下枠材２１、受け部材としての連結材２２・・を適宜組み付けることによって構成されている。
【００２６】
これらパネル支持フレーム１０、１１は、図７に示すように、固定金具４０・・を使用して取り付けられている。
【００２７】
固定金具４０は、図８に示すように、略Ｌ字状に折り曲げられた取付プレート４１と、この取付プレート４１の水平片４２に回転自在に挿通されたボルト４４と、このボルト４４に螺合された係止部材としての係止プレート４５とを備えている。そして、取付プレート４１の垂直片４３には、ボルト挿通孔４６が形成されている。
【００２８】
また、係止プレート４５は、相対する一対のコーナー部分が斜めに切り欠かれた略長方形状に形成されており、その長辺側の長さが既設トラス１、２のリップ付き溝形鋼からなる斜材５０や横材５１におけるリップ５２、５２間の隙間の幅寸法よりも長く、短辺側の長さがリップ５２、５２間の隙間の幅寸法よりも短くなっている。従って、この係止プレート４５は、その長辺側を既設トラス１、２の斜材５０や横材５１におけるリップ５２、５２間の隙間に沿わせることで、斜材５０や横材５１の溝内へリップ５２、５２間の隙間を通して挿入可能とされ、且つ、この挿入状態からボルト４４を中心として約９０度回転させることで、斜材５０や横材５１のフランジ５３、５３間に跨って回転が規制されるとともに、リップ５２、５２の内面側に当接してリップ５２、５２間の隙間からの抜けが規制されるようになっている。
【００２９】
このような固定金具４０・・を用いた既設トラス１、２へのパネル支持フレーム１０、１１の取り付けは、以下のようにしてなされる。すなわち、図７及び図９に示すように、各固定金具４０の係止プレート４５を既設トラス１、２の斜材５０や横材５１に上記のように係合して、ボルト４４の締め付けによって、取付プレート４１の水平片４２と係止プレート４５とで斜材５０や横材５１のリップ５２、５２を挟み込むことで、各固定金具４０を斜材５０や横材５１に取り付ける。このとき、固定金具４０・・の垂直片４３・・が斜材５０から垂下若しくは横材５１から立ち上がった状態となっている。そして、これら垂直片４３・・に対してパネル支持フレーム１０、１１の上枠材２０や下枠材２１をあてがいながら、互いに一致させた垂直片４３・・のボルト挿通孔４６・・と上枠材２０や下枠材２１のボルト挿通孔２７・・に固定ボルト６０・・を挿通させて、これら固定ボルト６０・・に螺合したナット６１・・を螺合して締め付けることで、既設トラス１、２に固定金具４０・・を介してパネル支持フレーム１０、１１が取り付けられる。
【００３０】
この取り付けに際して、パネル支持フレーム１０、１１の構成部材１５〜１７、３０〜３２を組合せた形状が既設トラス１、２のパネル取付部の形状と略同形状となっているので、既設トラス１、２に対して各構成部材１５〜１７、３０〜３２を簡単に位置決めしながら、順次取り付けることができる。なお、既設トラス１においては、横材５１に対して固定金具４０・・を取り付けることができない場合があるが、この場合には斜材５０側の固定金具４０・・を介してパネル支持フレーム１０を取り付け、パネル支持フレーム１０の要所要所を既設トラス１の縦材や斜材にクリップ等によって止め付けるようにしている。
【００３１】
そして、新設外壁パネル８・・は、縦方向に沿った両端部をパネル支持フレーム１０、１１の縦方向に沿った受け部材２２・・にあてがいながら、且つ、その表面が直下において既設軸組５に取り付けられた新設外壁パネル８・・の表面と略面一になるようにして各種止め金具を使用して固定されている。
【００３２】
図１０乃至図１２は、パネル支持フレーム１０、１１に新設外壁パネル８・・を固定した状態を示している。パネル支持フレーム１０に固定する新設外壁パネル８・・は、その組合わせた形状が既設トラス２のパネル取付部の形状と略同形状すなわち略二等辺三角形状とされ、パネル支持フレーム１１に固定する新設外壁パネル８・・は、その組合わせた形状が既設トラス１のパネル取付部の形状と略同形状すなわち略平行四辺形状とされている。
【００３３】
図１０中、６２は隣接する新設外壁パネル８、８をパネル支持フレーム１０、１１に固定する止め金具の一例を示している。この止め金具６２は、基台６３と、この基台６３に取り付けられた回転可能な一対の押さえ片６４、６４と、基台６３の略中央から突設した略Ｌ字状の棒材からなる引掛部材６５とからなる。そして、隣接する受け部材２２、２２間の隙間から挿入した引掛部材６５を一方の受け部材２２に係合して、押さえ片６４、６４を回転させながら、新設外壁パネル８、８の枠材７１の内側片７１ａを受け部材２２、２２との間で挟み込むことで、隣接する新設外壁パネル８、８をパネル支持フレーム１０、１１に固定するようになっている。
【００３４】
なお、上記においては、主棟１０１及び接続棟１０３の一方の妻側外壁部における改修について説明したが、主棟１０１の他方の妻側外壁部においても同様の改修を行うようにしている。
【００３５】
このように、既設外壁パネル３・・を取り外した後の既設トラス１、２に、新設外壁パネル８・・の裏支え用及び張り出し調整用のパネル支持フレーム１０、１１を取り付けて、そのパネル支持フレーム１０、１１に新設外壁パネル８・・を固定しているので、新設外壁パネル８・・の裏支えや直下の新設外壁パネル８・・との面合せを簡単、且つ、画一的に行うことができ、現場任せとなっていた曖昧な技術を明確にして、施工性の向上及び施工時間の短縮を図りながら、既設トラス１、２に対する新設外壁パネル８・・の取り付けを精度良く安定して行うことができ、改修作業の効率化を図ることができる。
【００３６】
なお、この発明は、上記実施形態に限定されるものではなく、この発明の範囲内で上記実施形態に多くの修正及び変更を加え得ることは勿論である。
【図面の簡単な説明】
【００３７】
【図１】この発明の一実施形態に係る外壁の改修方法によって改修される鉄骨系住宅を示す図である。
【図２】主棟及び接続棟における一方の妻側の既設トラスを示す正面図である。
【図３】改修前の妻側外壁部を示す縦断面図である。
【図４】接続棟側の既設トラスに取り付けるパネル支持フレームを示す図である。
【図５】主棟側の既設トラスに取り付けるパネル支持フレームを示す図である。
【図６】パネル支持フレームの構成部材の一例を示す斜視図である。
【図７】既設トラスにパネル支持フレームを取り付ける状態を示す斜視図である。
【図８】固定金具の斜視図である。
【図９】既設トラスにパネル支持フレームを取り付けた状態を示す縦断面図である。
【図１０】改修後の妻側外壁部を示す横断面図である。
【図１１】改修後の妻側外壁部を示す縦断面図である。
【図１２】改修後の妻側外壁部を示す正面図である。
【符号の説明】
【００３８】
１、２・・既設トラス、３・・既設外壁パネル、８・・新設外壁パネル、１０、１１・・パネル支持フレーム、１５〜１７、３０〜３２・・パネル支持フレームの構成部材、２２・・受け部材（連結材）、４０・・固定金具、４５・・係止部材（係止プレート）
【図１】
0005092571.tif 000002
【図２】
0005092571.tif 000003
【図３】
0005092571.tif 000004
【図４】
0005092571.tif 000005
【図５】
0005092571.tif 000006
【図６】
0005092571.tif 000007
【図７】
0005092571.tif 000008
【図８】
0005092571.tif 000009
【図９】
0005092571.tif 000010
【図１０】
0005092571.tif 000011
【図１１】
0005092571.tif 000012
【図１２】
0005092571.tif 000013